(57)【要約】【課題】農業用シートの一端側が固定された直径の小さな巻き取り心棒の外周に直径の大きな巻き取り補助具を装着して、農業用シートを巻き取る巻き取り直径を大きくすることにより、途中に小石などの障害物がシート表面上にあっても簡単にこれを乗り越えて巻き込みながら巻き取ることができ、しかも心棒の巻き取り直径を大きくすることでその巻き取り速度を高めて巻き取り作業能率を高めることにある。【解決手段】畑の土表面に敷かれた農業用シートａの一端側に取り付けられた巻き取り心棒ｃの外周側に装着されて農業用シートａの巻き取り直径を大きくするものであって、巻き取り心棒ｃの直径より大なる直径を有する円柱形状の円形両端１ａ及び側周面１ｂに、該側周面１ｂの軸芯方向に沿って円形断面の中心部に向かって巻き取り心棒挿入溝２を形成した。【選択図】　　　　図１
0003098334.tif 000002
【実用新案登録請求の範囲】
【請求項１】
畑の土表面に敷かれた農業用シートの一端側に取り付けられた巻き取り心棒の外周側に装着されて農業用シートの巻き取り直径を大きくするものであって、巻き取り心棒の直径より大なる直径を有する円柱形状の円形両端及び側周面に、該側周面の軸芯方向に沿って円形断面の中心部に向かって巻き取り心棒挿入溝を形成したことを特徴とする農業用シート巻き取り補助具。
【考案の詳細な説明】
【０００１】
【考案の属する技術分野】
この考案は、例えば果樹園の畑の土表面に敷いた農業用シートを巻き取る際に使用する農業用シート巻き取り補助具に関するものである。
【０００２】
【従来の技術】
従来、果樹園にあっては、果樹園の畑の土表面から雨水が地中にしみ込んで果実の糖度がさがるのを防ぐために、雨水が畑にしみ込むのを防ぐための防水用の農業用シートが畑の土表面には敷かれている。この防水用の農業用シートは果実の収穫時期には巻き取られる。
この防水用の農業用シートの巻き取り作業は、農業用シートの一端側に巻き取り心棒を置き、この巻き取り心棒に農業用シートの一端側を留め具を使って固定し、巻き取り心棒を農業用シートの他端側に向けて回転移動させながら、巻き取り心棒の周囲に農業用シートを巻き取るようにして行われる。
防水用の農業用シートは幅が広いために、巻き取り心棒には或る程度の長さと強度が要求され、通常、複数の鉄筋棒を継ないだ長い鉄筋棒が使用されるが、直径が大きいと重くなって巻き取り作業が大変となり、また値段も高くなり、さらに直径が大きい場合には巻き取り心棒に農業用シートの一端側を固定する留め具も大型になる等の不都合があるために、直径の小さな鉄筋棒が使用されている。
【０００３】
【考案が解決しようとする課題】
しかしながら、図５に図示するように、巻き取り作業の途中に小石などの障害物ｄが巻き取られる農業用シートａ表面上にあると、巻き取り心棒の直径が小さいために、その石などの障害物ｄを乗り越えて巻き込みながら巻き取ることができず、その都度、巻き取り作業を中断してシートａ表面上の障害物ｄを一々取り除く必要があり、非常に面倒であると共に巻き取り作業能率が低下するという不都合があった。
【０００４】
この考案は、上記のような課題に鑑み、その課題を解決すべく創案されたものであって、その目的とするところは、農業用シートの一端側が固定された直径の小さな巻き取り心棒の外周に直径の大きな巻き取り補助具を装着して、農業用シートを巻き取る巻き取り直径を大きくすることにより、途中に小石などの障害物がシート表面上にあっても簡単にこれを乗り越えて巻き込みながら巻き取ることができ、しかも心棒の巻き取り直径を大きくすることでその巻き取り速度を高めて巻き取り作業能率を高めることのできる農業用シート巻き取り補助具を提供することにある。
【０００５】
【課題を解決するための手段】
以上の目的を達成するために、この考案は、畑の土表面に敷かれた農業用シートの一端側に取り付けられた巻き取り心棒の外周側に装着されて農業用シートの巻き取り直径を大きくするものであって、巻き取り心棒の直径より大なる直径を有する円柱形状の円形両端及び側周面に、該側周面の軸芯方向に沿って円形断面の中心部に向かって巻き取り心棒挿入溝を形成した手段よりなるものである。
【０００６】
【考案の実施の形態】
以下、図面に記載の考案の実施の形態に基づいて、この考案をより具体的に説明する。
ここで、図１は農業用シート巻き取り補助具の巻き取り心棒への装着時の斜視図、図２は農業用シート巻き取り補助具の斜視図、図３は農業用シート巻き取り補助具の巻き取り心棒への装着時の平面図、図４は農業用シート巻き取り補助具による巻き取り時の断面図である。
【０００７】
図において、農業用シート巻き取り補助具１は、例えば果樹園の畑の土表面に敷かれた農業用シートａの一端側に留め具ｂにより取り付けられた巻き取り心棒ｃの外周側に装着されて農業用シートａの巻き取り直径を大きくするものであって、巻き取り心棒ｃの直径より大なる直径を有する円柱形状の外形を有しており、その円柱形状の円形両端１ａ及び側周面１ｂに、該側周面１ｂの軸芯方向に沿って円形断面の中心部に向かって巻き取り心棒挿入溝２が形成されている。
【０００８】
農業用シート巻き取り補助具１の直径は、巻き取り心棒ｃの直径より例えば５〜１０倍程度大きい。長さは例えば１０ｃｍ〜２０ｃｍ程度のものが適宜使用される。また、農業用シート巻き取り補助具１の材質は、巻き取り時の作業性を考慮して、軽量のものが使用され、又農業用シートａの巻き取り最中にその重さで潰れない程度の強度があるものが使用される。
【０００９】
この農業用シート巻き取り補助具１は、農業用シートａの一端側が固定された直径の小さな巻き取り心棒ｃの外周に装着して、農業用シートａを巻き取る巻き取り直径を大きくすることにより、途中に小石などの障害物ｄがシート表面上にあっても簡単にこれを乗り越えて巻き込みながら巻き取ることができ、しかも直径の小さな巻き取り心棒ｃの巻き取り直径を大きくすることでその巻き取り速度を高めて巻き取り作業能率を高める特徴を備えている。
【００１０】
巻き取り心棒挿入溝２は、円柱形状の円形両端１ａ及び側周面１ｂに、側周面１ｂの軸芯方向に沿って内部の円形中心部に向かって形成されている。つまり、巻き取り心棒挿入溝２の溝開口部分は円柱形状の円形両端１ａ及び側周面１ｂの間にわたって形成されている。巻き取り心棒挿入溝２の内部の中心側の溝底は半円形状に形成されていて、円形の巻き取り心棒ｃが挿入された場合に係合し易い形状に形成されている。
【００１１】
巻き取り心棒挿入溝２の溝の長さは側周面１ａの長さと同じである。又巻き取り心棒挿入溝２の溝幅は農業用シートａの一端側が取り付けられた巻き取り心棒ｃが挿入出来る程度の大きさ、つまり、巻き取り心棒ｃの直径と略同じ程度の大きさである。
【００１２】
次に、上記考案の実施の形態の構成に基づく農業用シート巻き取り補助具の使用方法について以下説明する。
収穫の時期になって、果樹園の畑の土表面に敷かれている農業用シートａを巻き取る場合には、先ず、農業用シートａの一端側に細長い巻き取り心棒ｃを置き、この巻き取り心棒ｃに留め具ｂによって農業用シートａの一端側を固定して取り付ける。
【００１３】
農業用シートａの一端側に巻き取り心棒ｃを固定して取り付けた後、農業用シート巻き取り補助具１を巻き取り心棒ｃの外周に装着する。農業用シート巻き取り補助具１は一定の間隔をあけて複数個取り付ける。農業用シート巻き取り補助具１の巻き取り心棒ｃへの装着は、巻き取り心棒挿入溝２内に巻き取り心棒ｃを挿入することにより行われる。
【００１４】
農業用シート巻き取り補助具１に形成された巻き取り心棒挿入溝２は、円柱形状の円形両端１ａ及び側周面１ｂに溝開口部分を有するので、農業用シートａの一端側が取り付けられた長さが長い巻き取り心棒ｃを巻き取り心棒挿入溝２内に挿入させる場合には開口された側周面１ｂ側から挿入させて、円形中心部の溝底まて押し込む。
【００１５】
この場合において、必要に応じて、巻き取り心棒挿入溝２の溝底まで押し込んで装着した農業用シートａの一端側が取り付けられた巻き取り心棒ｃが、巻き取りの最中に簡単に中心部から移動しないようにするために、円形断面の中心部となる巻き取り心棒挿入溝２の溝底に接着剤などを塗っておいて、農業用シートａの一端側が取り付けられた巻き取り心棒ｃを溝底に固定することもある。
【００１６】
このようにして、一定の間隔をあけて農業用シート巻き取り補助具１を農業用シートａの一端側が取り付けられた長さの長い巻き取り心棒ｃに装着した後に、農業用シートａの巻き取りを開始する。農業用シートａは直径が大きな農業用シート巻き取り補助具１の外周に沿って巻き取られるために、途中に小石などの障害物ｄが農業用シートａの表面上にあっても、巻き取り直径が大きいためその障害物ｄを巻き込んで農業用シートａを巻き取ることができる。
【００１７】
このため、巻き取り作業を中断して小石などの石などの障害物ｄを取り除く必要がなく、農業用シートａの巻き取り作業の作業能率を高めることができる。また、巻き取り直径が大きいため、一回転の間に巻き取る長さも長くなるために、巻き取り速度が高まり、これによっても農業用シートａの巻き取り作業能率を高めることができる。
【００１８】
なお、この考案は上記考案の実施の形態に限定されるものではなく、この考案の精神を逸脱しない範囲で種々の改変をなし得ることは勿論である。
【００１９】
【考案の効果】
以上の記載より明らかなように、この考案に係る農業用シート巻き取り補助具によれば、農業用シートの一端側が固定された直径の小さな巻き取り心棒の外周に直径の大きな巻き取り補助具を装着して使用することで、農業用シートを巻き取る巻き取り直径を大きくすることができ、これにより、途中に石などの障害物が巻き取る農業用シート表面上にあっても簡単にこれを乗り越えて巻き込みながら巻き取ることができるので、巻き取り途中で農業用シート表面上の石などの障害物を一々取り除く必要がなく、巻き取り作業がその都度中断される煩わしさから開放されて、農業用シートの巻き取り作業の能率を高めることができる。
【００２０】
しかも、心棒の外周にこれよりも直径の大きな農業用シート巻き取り補助具を装着して農業用シートを巻き取るため、農業用シートは直径の大きな巻き取り補助具の外周側面に沿って巻き取られることになり、一回転で巻き取られる農業用シートの長さは心棒の場合に比べてその直径の比の分だけ長くなるため、心棒の外周に直接シートを巻き取る場合に比べて、農業用シートの巻き取り速度を高めることができ、これにより農業用シートの巻き取り作業能率を高めることができる。また、巻き取られていた農業用シートを果樹園の畑の土表面に広げて敷く場合も同様に、その農業用シートの展開作業速度を高めることができる等、極めて実用的有益なる効果を奏するものである。
【図面の簡単な説明】
【図１】この考案の実施の形態を示す農業用シート巻き取り補助具の巻き取り心棒への装着時の斜視図である。
【図２】この考案の実施の形態を示す農業用シート巻き取り補助具の斜視図である。
【図３】この考案の実施の形態を示す農業用シート巻き取り補助具の巻き取り心棒への装着時の平面図である。
【図４】この考案の実施の形態を示す農業用シート巻き取り補助具による巻き取り時の断面図である。
【図５】従来の巻き取り心棒のみによる巻き取り時の断面図である。
【符号の説明】
１　　農業用シート巻き取り補助具
１ａ　円形両端
１ｂ　側周面
２　　巻き取り心棒挿入溝
ａ　　農業用シート
ｂ　　留め具
ｃ　　巻き取り心棒
ｄ　　障害物
【図１】
0003098334.tif 000003
【図２】
0003098334.tif 000004
【図３】
0003098334.tif 000005
【図４】
0003098334.tif 000006
【図５】
0003098334.tif 000007